(57)【特許請求の範囲】
【請求項１】
本体と、
該本体の上面に設けられたプレートと該プレートの下面外周を保持する保持部材と前記プレートの外周を保護する枠体とで構成されたプレート組と、
前記プレートの下方に配置された加熱装置と、
前記保持部材の下面側に固定し、前記プレート組を前記本体に取り付ける固定金具と、
を備え、
前記保持部材には、下面側に凸状に絞った絞り部を設け、該絞り部の上面側の凹部にシリコンを充填し緩衝部とするとともに、前記凸状に絞った絞り部に前記固定金具を固定し、前記絞り部と前記固定金具とに貫通した穴を設けたことを特徴とする組み込み式加熱調理器。
【請求項２】
本体と、
該本体の上面に設けられたプレートと該プレートの下面外周を保持する保持部材と前記
プレートの外周を保護する枠体とで構成されたプレート組と、
前記プレートの下方に配置された加熱装置と、
前記保持部材の下面側に固定し、前記プレート組を前記本体に取り付ける固定金具と、
を備え、
前記保持部材には、下面側に凸状に絞った絞り部を設け、該絞り部の上面側の凹部にシリコンを充填し緩衝部とするとともに、前記絞り部に下面側に凸状のバーリングを設け、前記固定金具に前記バーリングに嵌る穴を設け、前記固定金具の前記穴に前記バーリングを嵌めて前記バーリングを前記穴より外側に加締めて固定したことを特徴とする組み込み式加熱調理器。
【請求項３】
前記固定金具は、
前記保持部材より板厚の厚い鋼材を成形し、前記保持部材の下側へ取り付ける取付部と、
該取付部の下側に座押しして該取付部の内側へ延出した連結部と、
前記取付部よりも内側で前記連結部の前側に垂直に垂れる固定部と、
ねじを用いて前記本体に固定するために前記固定部の中程に設けられた取付穴と、
を備えることを特徴とする請求項１または請求項２記載の組み込み式加熱調理器。
【発明の詳細な説明】
【技術分野】
【０００１】
本発明は、誘導加熱調理器等、台所のシステムキッチン等に組み込んで使用される組み込み式加熱調理器に関し、特に、本体とその本体の上面に載置されるプレート組との取り付け構造に関するものである。
【背景技術】
【０００２】
加熱調理器には、システムキッチンに組み込まれた状態で使用されるものがある。この加熱調理器の本体の上面には、鍋を載置するためのプレートが備えられ、プレートは、その下方で本体と連結される。
【０００３】
特許文献１の請求項１や図１には、外郭を構成する本体と、本体の上面を覆い本体に固定されるトップユニット部とを備え、トップユニット部は、平板状のトッププレートと、トッププレートを載置しトッププレートの外周部を全周接着して保持する保持部材と、保持部材の前辺部の下面に接する取り付け面を有し保持部材に固定されかつ取り付け面に対して垂直に下方に折り曲げられた部分が本体と前方で係合するフック部とを備え、フック部は取り付け面が保持部材のコーナー部まで延長されてコーナー部の下面に接する延長部分を有し、延長部分がトッププレートの下方でコーナー部の下面を支える組み込式調理器が記載されている。また、同文献の図２には、フック部に絞りリブを設けて取り付け面を保持部材に接着固定したものが記載されている。
【先行技術文献】
【特許文献】
【０００４】
【特許文献１】特許４２５９４８７号公報
【発明の概要】
【発明が解決しようとする課題】
【０００５】
特許文献１に示すように、近年、トッププレートの手前側にタッチ式の操作部を設けた組み込み式調理器が普及してきた。タッチ式の操作部は、トッププレート下側に電極を設けた基板を装着して構成するものであるため、その基板を装着するトッププレート手前側部分で、トッププレートを補強するための保持部材の幅が狭くなり、また、コーナー部の保持部材も大きく設けられなかった。そのため、保持部材のコーナー部分にフック部の取り付け面を取り付けることができず、システムキッチンに組み込まれた加熱調理器の本体にトッププレートを取り付ける際に、フック部に下方から突き上げる大きな衝撃が加わると、トッププレートが破損する可能性があった。
【０００６】
また、特許文献１の図２に示す、取り付け面に絞りリブを設けて保持部材に接着固定したものにおいては、絞りリブに充填される接着材を硬化させるための配慮が十分にはされておらず、例えば、接着剤として常温吸湿硬化形のシリコンを用いた場合には、硬化に時間が掛かり、生産性が悪かった。また、例えば、接着剤として、熱硬化性シリコンを使用した場合は、硬化するための加熱設備が必要であり、生産コスト的に不利であった。
【０００７】
本発明は、前記課題を解決するものであり、保持部材で固定金具に加わる衝撃力を吸収してトッププレートの破損を防止して、かつ、生産性が良くコスト低減を図ることを目的とするものである。
【課題を解決するための手段】
【０００８】
本発明は、上述の課題を解決するためになされたもので、請求項１では、本体と、該本体の上面に設けられたプレートと該プレートの下面外周を保持する保持部材と前記プレートの外周を保護する枠体とで構成されたプレート組と、前記プレートの下方に配置された加熱装置と、前記保持部材の下面側に固定し、前記プレート組を前記本体に取り付ける固定金具と、を備え、前記保持部材には、下面側に凸状に絞った絞り部を設け、該絞り部の上面側の凹部にシリコンを充填し緩衝部とするとともに、前記凸状に絞った絞り部に前記固定金具を固定し、前記絞り部と前記固定金具とに貫通した穴を設けたものである。
【０００９】
また、請求項２では、本体と、該本体の上面に設けられたプレートと該プレートの下面外周を保持する保持部材と前記プレートの外周を保護する枠体とで構成されたプレート組と、前記プレートの下方に配置された加熱装置と、前記保持部材の下面側に固定し、前記プレート組を前記本体に取り付ける固定金具と、を備え、前記保持部材には、下面側に凸状に絞った絞り部を設け、該絞り部の上面側の凹部にシリコンを充填し緩衝部とするとともに、前記絞り部に下面側に凸状のバーリングを設け、前記固定金具に前記バーリングに嵌る穴を設け、前記固定金具の前記穴に前記バーリングを嵌めて前記バーリングを前記穴より外側に加締めて固定したものである。
【００１０】
さらに、請求項３では、前記固定金具は、前記保持部材より板厚の厚い鋼材を成形し、前記保持部材の下側へ取り付ける取付部と、該取付部の下側に座押しして該取付部の内側へ延出した連結部と、前記取付部よりも内側で前記連結部の前側に垂直に垂れる固定部と、ねじを用いて前記本体に固定するために前記固定部の中程に設けられた取付穴と、を備えるものである。
【発明の効果】
【００１１】
本発明の組み込み式加熱調理器によれば、本体と係合する固定金具に下から突き上げる衝撃が加わった場合に、保持部材の絞り部に充填されたシリコンが緩衝部となり、保持部材の上部に接着されたプレートの破損を防止できる。
【００１２】
請求項１によれば、保持部材の絞り部上面に充填するシリコンに常温吸湿硬化形を使用でき、絞り部の穴から吸湿できるので、短時間で確実に硬化でき、生産性が良くコスト低減を図れる。
【００１３】
また、請求項２によれば、保持部材に固定金具を固定するバーリングを設けることで、保持部材の強度を落とすことなくシリコン吸湿のための穴を設けることができる。
【図面の簡単な説明】
【００１４】
【図１】一実施例の加熱調理器をシステムキッチンに組み込んだ外観斜視図である。
【図２】一実施例の加熱調理器の右前部を下から見た外観斜視図である。
【図３】一実施例の加熱調理器のプレート組を上面から見た斜視図である。
【図４】同プレート組のプレートを外した保持部材の斜視図である。
【図５】図４のＡ部の拡大斜視図である。
【図６】一実施例の加熱調理器のプレート組の下面側の斜視図である。
【図７】図６のＢ部の拡大斜視図である。
【図８】図３のＣ部のＤ−Ｄ断面の拡大斜視図である。
【発明を実施するための形態】
【００１５】
以下、本発明の一実施例を図１から図８に従って説明する。
【００１６】
図１は、組み込み式の加熱調理器がシステムキッチン１３に組み込まれた状態を示している。この図において、加熱調理器の本体１の上面には、プレート３を含むプレート組８が備えられる。また、プレート組８の下方には、左右と中央に加熱装置６が配置される。さらに、本体１の前面左側には、魚等を焼くロースター部４を備え、本体１の前面右側には、ロースター部４の加熱の設定等を行う操作部５を備えている。なお、ここでは、左側の加熱装置６の上方のプレート３に、被加熱物である容器２を載置している。
【００１７】
図２は、加熱調理器の右前部を下から見た外観斜視図である。ここに示すように、本体１は、箱型の外郭１ａの左右上端にフランジ１ｂ、前上端にフランジ１ｃを備える。
【００１８】
図１に示すように、本体１は、システムキッチン１３の上面開口から落とし込まれ、図２に示す本体１左右のフランジ１ｂでシステムキッチン１３の天板の上で本体１を吊るす構成となっている。プレート組８は、フランジ１ｂ，１ｃに載置される。このプレート組８は、本体１の前面においては、固定金具１５で本体１の前面１ｄに固定され、本体１の後部においても、吸排気口部８ａ近傍に設けられた、図示しない固定部で本体１に固定される。
【００１９】
図３は、本体１の上面開口部に配置されるプレート組８を表側から見た斜視図で、図６は裏側の斜視図である。プレート組８は、耐熱絶縁ガラス等よりなるプレート３と、プレート３の下面３ｂの外周を保持する保持部材１４と、保持部材１４に固定される固定金具１５と、プレート３の外周を保護する略コ字状の断面形状をなす枠体７とで一体型に構成する。
【００２０】
以下、固定金具１５周辺の構造について、図３から図８を用いて説明する。図４は、プレート組８からプレート３を外した保持部材１４の斜視図で、図５は、図４のＡ部の拡大斜視図である。図７は、図６のＢ部の拡大斜視図である。図８は、図３のＣ部のＤ−Ｄ断面の拡大斜視図である。
【００２１】
図３，図６のプレート３において、容器１２を載置する上面３ａと、本体１内の加熱装置６が当接する下面３ｂは平坦である。プレート３の下面３ｂは、保持部材１４のプレート取付面１４ｂに、接着剤であるシリコン１７で固定される。プレート３の上面３ａには、容器２の載置位置を示す表示３ｃを設け、手前側には上面操作表示部１２ａを設ける。上面操作表示部１２ａの下部には保持部材１４の基板保持部１４ｇに操作表示基板（図示せず）が固定される。
【００２２】
図４，図５において、保持部材１４は、鋼板からなり、プレート穴１４ｈを抜いた平板状の一体の枠である。この左右と手前、奥側には、補強のため、下面側に凹むリブ１４ｋを備え、リブ１４ｋの周囲にはプレート取付面１４ｂを備える。また、保持部材１４の手前側には、プレート取付面１４ｂより下に凹む基板保持部１４ｇを備える。
【００２３】
プレート取付面１４ｂの左右の前方には、図５に示すように、下面側に凸状に絞った（深さ約０.５mm）絞り部１４ａを備える。絞り部１４ａの絞り部底１４ｆは、プレート取付面１４ｂと平行で、絞り部底１４ｆには、図７に示すように、下面側に凸状に設けたバーリング１４ｄを備える。図８に示す１４ｃはバーリング１４ｄを設けたときに開口した穴である。
【００２４】
図６〜図８において、固定金具１５は、保持部材１４の下側へ取り付ける取付部１５ｅと、保持部材１４のバーリング１４ｄに嵌めるための、取付部１５ｅに設けられた穴１５ｄと、取付部１５ｅの下側に座押した連結部１５ｃと、連結部１５ｃの前側に垂直に垂れる固定部１５ｂと、ねじを用いて本体１に固定するための、固定部１５ｂの中程に設けられた取付穴１５ａとを備えている。なお、固定金具１５は、保持部材１４より板厚の厚い鋼板をプレス加工して成形したものであり、本実施例では、図６に示すように、左右の固定金具１５は左右対称形とした。
【００２５】
固定金具１５は、絞り部１４ａの絞り部底１４ｆの下面に、固定金具１５の穴１５ｄにバーリング１４ｄに嵌めて、バーリング１４ｄを固定金具１５の穴１５ｄの外周方向に加締めて潰す（加締め部１４ｎ）ことにより密着固定する。固定金具１５を加締めるときに、固定金具１５の穴１５ｄの外周方向にバーリング１４ｄを潰すので、穴１５ｄと穴１４ｃが塞がる事はない。また、固定金具１５の取付部１５ｅの外周が、絞り部底１４ｆの内周よりも内側になるように、取付部１５ｅ，絞り部底１４ｆの形状を定めている。
【００２６】
図８を用いて、本実施例の固定金具１５にかかる衝撃力を吸収する構造について説明する。保持部材１４にプレート３をシリコンで接着する際に、プレート取付面１４ｂだけでなく、絞り部１４ａの凹部にシリコン１７を充填する。上述したように、絞り部１４ａの凹部の深さは約０.５mmであるので、絞り部１４ａには、厚さ０.５mmのシリコン１７の層が形成され、これが緩衝部１６としての機能を担う。ここでは、絞り部１４ａの凹部の深さを０.５mmとしたが、保持部材１４の絞り部１４ａを更に深くして、緩衝部１６の層を更に厚くても良い。
【００２７】
本体１から固定金具１５の取付穴１５ａに伝わった衝撃力は、固定部１５ｂ，連結部１５ｃを経て取付部１５ｅに伝達される。この衝撃力は、さらに、取付部１５ｅの穴１５ｄ，バーリング１４ｄの加締め部１４ｎを経て絞り部底１４ｆに伝わる。絞り部底１４ｆに伝わった衝撃力は、絞り部１４ａに充填されたシリコン１７が緩衝部１６となって吸収された後、絞り部１４ａの上面に当接するプレート３に伝わる。このように、緩衝部１６によって、本体１からの衝撃力が緩衝されてプレート３に伝わるので、衝撃力によって、プレート３が破損する可能性を低くすることができる。
【００２８】
また、本実施例では、シリコン１７として、大気中の湿気を吸湿して硬化する常温吸湿硬化形のものを用いた。図７，図８に示すように、緩衝部１６の下面には、穴１４ｃが開口しているので、シリコン１７に十分な湿気を供給することができ、短時間でシリコン１７の硬化を完了させることができる。
【００２９】
本実施例によれば、上記した構成としたので、本体１梱包状態での落下の衝撃や、設置工事の際に本体をシステムキッチン１３に当てた衝撃を、本体１と係合する固定金具１５に下から突き上げる衝撃が加わった場合に、固定金具１５の取付部１５ｅから保持部材１４の絞り部１４ａに伝わるが、絞り部１４ａに充填されたシリコン１７が緩衝部１６となり、保持部材１４の上部に接着されたプレート３の破損を防止できる。
【００３０】
また、固定金具１５の取り付け位置は必ずしも保持部材１４のコーナー部に限定されずに自由度が増える。
【００３１】
また、保持部材１４の絞り部１４ａ上面に充填するシリコン１７に常温吸湿硬化形を使用でき、絞り部１４ａの穴１４ｃから吸湿できるので、短時間で確実に硬化でき、生産性が良くコスト低減を図れる。
【００３２】
さらに、保持部材に固定金具を固定するバーリングを設けることで、保持部材の強度を落とすことなくシリコンに吸湿させる穴を設けることができる。
【符号の説明】
【００３３】
１  本体
２  容器
３  プレート
６  加熱装置
７  枠体
８  プレート組
１４  保持部材
１４ａ  絞り部
１５  固定金具
１６  緩衝部
１７  シリコン
【図１】
0005433504.tif 000002
【図２】
0005433504.tif 000003
【図３】
0005433504.tif 000004
【図４】
0005433504.tif 000005
【図５】
0005433504.tif 000006
【図６】
0005433504.tif 000007
【図７】
0005433504.tif 000008
【図８】
0005433504.tif 000009